(57)【特許請求の範囲】
【請求項１】
ボールペンチップを先端に備えたホルダーを、水性インクを直接収容可能なインク収容管の前部に嵌着させる水性ボールペンにおいて、前記インク収容管とホルダーの嵌合部にインクに適用される水溶性又は水分散性の潤滑剤の少なくとも一種が介在されてなる水性ボールペン。
【請求項２】
ボールペンチップを先端に備えたホルダーを、水性インクを直接収容可能なインク収容管の前部に嵌着させる水性ボールペンにおいて、ホルダーの嵌合部とインク収容管の嵌合部の少なくとも一方にインクに適用される水溶性又は水分散性の潤滑剤の少なくとも一種を塗布した後、前記ホルダーとインク収容管を嵌合する水性ボールペンの製造方法。
【発明の詳細な説明】
【０００１】
【産業上の利用分野】
本発明は水性ボールペン及びその製造方法に関する。更に詳細には、少なくとも水性インクが充填されたインク収容管と、ホルダー及びボールを抱持するチップから構成される水性ボールペン及びその製造方法に関する。
【０００２】
【従来の技術】
従来より水性インクを直接収容する水性ボールペンは、ホルダー後部をインク収容管開口部に圧入嵌合する方法がとられてきた。
【０００３】
【発明が解決しようとする課題】
しかし、前記した嵌合方法は、嵌合する際に高い圧入力を必要とするため、製造工程において、高い圧入力で嵌合する際に生じる嵌合部の削れや、割れによる嵌合不良品が多々発生しがちであり、それによってホルダーとインク収容管の嵌合部からインク漏れを起こす恐れがあった。
本発明は、前記した如き嵌合不良品をなくし、密閉性の高い水性ボールペン及びその製造方法を提供しようとするものである。
【０００４】
【課題を解決するための手段】
本発明は、ボールペンチップを先端に備えたホルダーを、水性インクを直接収容可能なインク収容管の前部に嵌着させる水性ボールペンにおいて、前記インク収容管とホルダーの嵌合部にインクに適用される水溶性又は水分散性の潤滑剤の少なくとも一種が介在されてなる水性ボールペン、及び、ホルダーの嵌合部とインク収容管の嵌合部の少なくとも一方にインクに適用される水溶性又は水分散性の潤滑剤の少なくとも一種を塗布した後、前記ホルダーとインク収容管を嵌合する水性ボールペンの製造方法を要件とする。
【０００５】
前記水性ボールペンは、水性インクを直接内蔵させたボールペンであり、前記インクは、低粘度の水性インク、又は揺変性を有する粘稠な水性インク等が挙げられる。
【０００６】
前記水性インクを収容するインク収容管は、例えば、後端を閉塞してインクを内蔵する円筒形状の部材、或いは、両端が開口した円筒形状の部材であって、インク収容管後部よりインクを充填した後、インクの後部にグリース状の逆流防止剤を注入してなる液栓、又はプラスチック、ゴム等で形成されたスライド自在の固体栓を設ける構成の部材等が挙げられる。
【０００７】
前記インク収容管と嵌合するホルダーは、前部にチップを嵌着させ、後部にインク収容管を嵌着させる構造のものであれば全て好適に用いられ、例えば、ホルダー前部にチップ嵌合部、後部にインク収容管嵌合部を有する、合成樹脂又は金属により一体的に形成されたもの、又はチップ嵌合部とインク収容管嵌合部を設けた部材が別部材からなる、二部材以上の部材により構成されるもの、更にはホルダーの後部に一体成形された櫛溝状のインク調節部を設たもの、或いは、ホルダーの後部に別部材の櫛溝状のインク調節部材を嵌合させ、インク収容管開口部に嵌合する構成のものであってもよい。
【０００８】
前記インク収容管とホルダーの間に介在する潤滑剤は、インク中に配合される、ボール受座の磨耗対策用の潤滑剤が好適に用いられる。前記インクが水性であるのに対し、シリコーンオイル等の不水溶性の潤滑剤を用いると、前記潤滑剤がチップ先端に移動した時に、筆跡のかすれが生じたり、筆記不能になる。
そこで、嵌合後に潤滑剤が移動するようなことがあっても、筆記性能に影響を与えることのない、水溶性、又は水分散性の潤滑剤を用いる。
又、前記潤滑剤の潤滑効果は、ホルダーとインク収容管の嵌合時のみ作用すればよいため、適度な潤滑性を有していればよく、インク組成物中の溶媒に溶解又は分散したものを用いて、インクへの影響を少なくすることもできる。
【０００９】
以下に好適に用いられる潤滑剤を例示する。
ジカルバミン酸誘導体
ポリオキシエチレンアルキルエーテル燐酸エステル及びポリオキシエチレンアルキルエーテル燐酸エステル塩
ポリオキシエチレンアルキルアリールエーテル燐酸エステル及びポリオキシエチレンアルキルアリールエーテル燐酸エステル塩
ポリオキシエチレンアルキルフェニルエーテル燐酸エステル及びポリオキシエチレンアルキルフェニルエーテル燐酸エステル塩
脂肪酸アミドのエチレンオキサイド付加物
メルカプトベンゾチアゾール誘導体
アルキルスルフォンアミド酢酸及びその塩
脂肪酸アミド酢酸及びその塩
エチレンオキサイド付加型カチオン界面活性剤
不飽和脂肪酸の硫酸化塩
フッ素系界面活性剤
エチレンオキサイド付加型シリコーンオイル
モノアルキル燐酸エステルのエチレンオキサイド付加物
ポリオキシエチレンアルキルクロライド
ポリオキシエチレンアルキルポリサルファイド
不飽和高級脂肪酸アルカリ金属塩
ジシクロヘキシルアミンの脂肪酸塩
アルキルアミンのエチレンオキサイド付加物
Ｎ−アシル化グリシン塩
Ｎ−アシル化サルコシン塩
ナフテン酸塩
尚、前記潤滑剤は単一であってもよいし、複数の潤滑剤を混合して用いてもよい。
【００１０】
前記潤滑剤をホルダーとインク収容管に介在させる方法としては、ホルダーに潤滑剤を塗布した後、前記ホルダーをインク収容管に嵌合する方法と、インク収容管に潤滑剤を塗布した後、前記インク収容管をホルダーに嵌合する方法がある。
前記二通りの方法は、ホルダー及びインク収容管の構造によって各々使い分けることができる。即ち、ホルダー外周面にインク収容管の内周面が嵌合する場合、製造工程において、ホルダー外周面に潤滑剤を塗布する方法が容易（図１参照）であるのに対し、ホルダー内周面にインク収容管の外周面が嵌合する場合、前記とは逆に、インク収容管の外周面に潤滑剤を塗布する方法が容易となる（図２参照）。
【００１１】
【作用】
ホルダーとインク収容管の嵌合部に潤滑剤が介在する構成、例えば、ホルダー又はインク収容管に潤滑剤を塗布した後、ホルダーとインク収容管を嵌合させると、潤滑剤を塗布しなかったものよりも低い圧入力で嵌合され、而も嵌合部に割れや削れが発生しない。又、インクに適用される潤滑剤を用いると、筆跡のかすれを生じたり、筆記不能になることがない。
更に前記潤滑剤は溶媒中に溶解又は分散したものを塗布しても、同様の作用を奏する。
【００１２】
【実施例】
実施例１（図１、図４参照）
ポリプロピレンよりなるホルダー２の先端部に、ステンレススチール製パイプ（外径０．５ｍｍ、内径０．３ｍｍ）よりなるチップ３〔先端部をカシメ変形させ、ボール（直径０．３ｍｍ）を抱持している）を圧入固着する。
前記ホルダー２後部は、ポリプロピレンよりなるインク収容管４（外径５．４ｍｍ、内径３．８ｍｍ）の内周面と嵌合する小径の嵌合部２１を設けてなる。
前記嵌合部２１に１％プライサーフＡＬ〔潤滑剤、第一工業製薬（株）製〕水溶液を塗布すると、前記ホルダー２とインク収容管４はスムースに嵌合される。
前記インク収容管４の後部から揺変性を有する粘稠な水性インク５と逆流防止剤６を注入し、水性ボールペン１を得た。
【００１３】
実施例２（図２参照）
ポリアセタールよりなるホルダー２の先端部に、ステンレススチール製パイプ（外径０．５ｍｍ、内径０．４ｍｍ）よりなるチップ３〔先端部をカシメ変形させ、ボール（直径０．４ｍｍ）を抱持している〕を圧入固着する。
前記ホルダー２後部は、ポリエチレンよりなるインク収容管４（外径５．４ｍｍ、内径３．８ｍｍ）の外周面と嵌合する大径の嵌合部２１を設けてなる。
前記嵌合部２１に５％プライサーフＡＬ〔潤滑剤、第一工業製薬（株）製〕水溶液を塗布すると、前記ホルダー２とインク収容管４はスムースに嵌合される。
前記インク収容管４の後部から、揺変性を有する粘稠な水性インク５と、逆流防止剤６を注入し、水性ボールペン１を得た。
【００１４】
実施例３（図３参照）
ホルダー２後部の外周に一体成形された多数の櫛溝７が形成されており、該櫛溝７は、インクタンク内の圧力変動に応じてインクを一時的に保溜する、インク調節機能を果たす。
該ホルダー２の先端部にはボール（直径０．５ｍｍ）を抱持するチップ３が圧入固着されている。
前記ホルダー２の嵌合部２１に１％プライサーフＡＬ〔潤滑剤、第一工業製薬（株）製〕水溶液を塗布し、後端を閉塞したインク収容管４に前記ホルダー２を挿入すると、スムースな嵌合がなされ、水性ボールペン１を得ることができる。
【００１５】
【発明の効果】
本発明は、ホルダーとインク収容管の嵌合部に潤滑剤が介在して、低い圧入力で嵌合することができ、嵌合部に割れや削れを有する嵌合不良品を生産することがない。
更に、筆跡のかすれを生じたり、筆記不能になることもなく、筆記性能の高い水性ボールペン及びその製造方法を提供することができる。
【図面の簡単な説明】
【図１】本発明水性ボールペンの、一実施例の断面図である。
【図２】本発明水性ボールペンの、他の実施例の断面図である。
【図３】本発明水性ボールペンの、他の実施例の断面図である。
【図４】本発明水性ボールペンの製造方法の、一実施例の断面図である。
【符号の説明】
１    水性ボールペン
２    ホルダー
２１  嵌合部
３    チップ
４    インク収容管
５    インク
６    逆流防止剤
７    櫛溝
【図１】
0003590911.tif 000002
【図２】
0003590911.tif 000003
【図３】
0003590911.tif 000004
【図４】
0003590911.tif 000005